(57)【要約】【課題】本体機器より脱着した際に外部よりコネクタを保護するシャッタを設けながら、電子デバイス側のコネクタを筐体外装側に接近させた位置に配置することを可能とする。【解決手段】電子デバイス２は、電子部品とこれを収容する筐体２ｅを有する。電子部品のコネクタ２ｄと対向する筐体２ｅの端面には開口部があり、この開口を開閉するべく外側方向へ回動可能な、ねじりコイルバネ６によって閉成方向へ付勢されたシャッタ４が設けられる。上記開口を有する開口端面に直交する側面には、この開口端面と直交する方向に延在する溝２ａが設けられる。この溝２ａは電子デバイス２を電子機器へ挿入する際に、電子機器が有する凸部と勘合してガイドとして機能する。レバー７は被作動部７ｃと作用端７ａを有し、被作動部７ｃは溝２ａより延出し、被作動部７ｃを該溝外方向へ作動させることにより、レバー７の作用端７ａがシャッタ４に開成方向への作用力を印加する。【選択図】  図３
2004288272.tif 000002
【特許請求の範囲】
【請求項１】
電子部品を収容可能であり、第１端面に開口部を有するケース部材と、
前記ケース部材の前記開口部に設けられ、該開口部を開閉するべく外側方向へ回動可能であり、第１弾性部材によって閉成方向へ付勢されたシャッタ部材と、
前記ケース部材の前記第１端面に直交する少なくとも一つの側面より該ケース部材の外部に延出した第１端部と、前記シャッタ部材に作用する第２端部とを有し、該第１端部へ加わる作用力を前記シャッタ部材を開成方向への付勢力に変換するレバー部材とを備えることを特徴とする電子部品収納ケース。
【請求項２】
前記シャッタ部材は、開成状態において前記ケース部材内部方向へ移動可能であることを特徴とする請求項１に記載の電子部品収納ケース。
【請求項３】
前記ケース部材の前記第１端面と直交する少なくとも一つの側面に、該第１端面と直交する方向に延在する溝を有し、
前記レバー部材の前記第１端部は前記溝内に延出し、該第１端部を該溝外方向へ作動させることにより、該レバー部材の前記第２端部が前記シャッタ部材に開成方向への作用力を印加することを特徴とする請求項１に記載の電子部品収納ケース。
【請求項４】
前記溝が、前記ケース部材を電子機器に挿入する際のガイドであることを特徴とする請求項３に記載の電子部品収納ケース。
【請求項５】
前記レバー部材は前記ケース部材内に回転軸支され、前記第２端部が前記シャッタ部材と連動回転する回転軸より突出した被回動部を変位させることにより該シャッタ部材が開成方向の力を受けることを特徴とする請求項１に記載の電子部品収納ケース。
【請求項６】
前記回転軸は軸心方向より延出した平板状のリブを有し、該リブによって前記シャッタ部材は該回転軸と連動回転し、該リブの平面にガイドされる方向に移動可能に支持されることを特徴とする請求項５に記載の電子部品収納ケース。
【請求項７】
少なくとも前記シャッタ部材が開成した状態において、該シャッタ部材を、前記リブの平面に沿った前記ケース部材の外方向へ付勢する第２弾性部材を更に備え、
前記シャッタ部材は前記第１端面に直交する前記ケース部材内方向への外力に応じて該ケース部材内へ移動可能であることを特徴とする請求項６に記載の電子部品収納ケース。
【請求項８】
前記シャッタ部材の閉成時において、該シャッタ部材の外面は、前記第１端面を囲う側面の端部によって形成される面と同一面か後退していることを特徴とする請求項１又は２記載のシャッタ開閉機構。
【請求項９】
前記シャッタ部材の閉成状態において、前記第１端面の周囲を囲う側面の少なくとも一部が該シャッタ部材の外側の面よりも突出することを特徴とする請求項１乃至７のいずれかに記載の電子部品収納ケース。
【請求項１０】
請求項１乃至９のいずれかに記載の電子部品収納ケースと、
前記ケース部材内に、その接続コネクタが前記シャッタ部材と対向するように固定された電子部品とを備え、
前記シャッタ部材の開成状態において前記接続コネクタが接続可能状態に露出することを特徴とする電子デバイス。
【請求項１１】
請求項２又は請求項７に記載の電子部品収納ケースと、
前記ケース部材内に、その接続コネクタが前記シャッタ部材と対向するように固定された電子部品とを備え、
前記シャッタ部材の開成状態において前記接続コネクタが接続可能状態に露出するとともに、前記シャッタ部材が前記接続コネクタと前記ケース部材の間に収容可能であることを特徴とする電子デバイス。
【請求項１２】
前記シャッタ部材の前記ケース部材内への変位方向は、前記接続コネクタを接続するための相手コネクタとの接続ストローク方向と概略一致していることを特徴とする請求項１１に記載の電子デバイス。
【発明の詳細な説明】
【０００１】
【発明の属する技術分野】
本発明は情報処理機能を備えた電子機器本体と内部に記憶媒体又は電子部品を収容した電子デバイスとの間を電気的に接続する接続構造に関する。特には電子機器本体に対して着脱可能に接続し、携帯可搬性に適した電子デバイスの接続インターフェース用コネクタのシャッタ開閉機構に関するものある。
【０００２】
【従来の技術】
一般に、パーソナルコンピュータ（ＰＣ）などの情報処理機能を有する電子機器に多用されている記録媒体は、その内部に情報を保持するための半導体記録媒体、磁気記録媒体、光磁気記憶媒体などが用いられている。また、このような記録媒体への記録蓄積の対象となるデジタルデータも、文字などのテキストデータに留まらず、デジタルスチルカメラの静止画像や、デジタルビデオカメラからの音声データや大容量の動画像をも含むようになってきた。
【０００３】
又、テレビ放送の番組等を記録し保存する機器としては、記録媒体としてビデオテープを用いるビデオテープレコーダ（ＶＴＲ）が普及しているが、最近では、いわゆるＤＶＤなどのような回転光磁気記憶媒体を用いた記録方式も出現している。更に、この種の機器に用いられる記録媒体として、磁気記録媒体の一種であるハードディスク装置（以下ＨＤＤ）が注目されている。ＨＤＤは、他の方式に比べてアクセススピードが早く、記録ビット単価が安く、記録容量が大きいためである。昨今では、数１０ギガバイトクラスの記録容量を持ったＨＤＤが内蔵され、従来にない機能を備えながら比較的長時間の放送の記録を可能とした機器も出現している。
【０００４】
一方、記録するデータが大容量化すると、記録メディアが機器に内蔵固定されていて容易に交換出来ない場合には、容量が不足してしまい、上書きする以外に新たなデータを追加記録できなくなるといった不都合が生ずるようになった。特にＭＰＥＧ（Ｍｏｖｉｎｇ  Ｐｉｃｔｕｒｅ  Ｅｘｐｅｒｔ  Ｇｒｏｕｐ）圧縮などの処理をしない記録方法の場合には、記録媒体の容量不足の問題は顕著になる。
【０００５】
このような問題に対処するため、電子機器本体より簡単に着脱可能にしたリムーバブルＨＤＤ装置の如き電子デバイスが提案されている。例えば特許文献１には、一般使用者でも簡単にかつ確実に取り付け、取外しができるようにしたＨＤＤ装置が開示されている。この開示によれば、電子機器本体に差し込まれるＨＤＤ装置の前端に接続用コネクタを配置し、その側面には差し込まれる方向に沿ったガイド溝を設けて取り付け／取り外しの操作性を向上している。
【０００６】
【特許文献１】
特開２００１−２９１３８２号公報
【特許文献２】
特開平１１−００８０１０号公報
【発明が解決しようとしている課題】
しかしながら、特許文献１のＨＤＤ装置は、電子機器本体から取り外した場合にインターフェースとなるコネクタが露出してしまう。このため、ＨＤＤ装置が塵埃や人体に蓄積した静電気に対して無防備になったり、不用意に金属片などが接触して内部の電子回路を破損するといった故障の原因にもなっている。特に小型のＨＤＤを内蔵したリムーバブルＨＤＤは携帯性が優れているため、取外して持ち運ばれる機会も多く、上記の問題がより顕著になっている。
【０００７】
この様な問題に対して、図１３に示すように、電子機器本体ないしは着脱可能な電子デバイスに実装されたインターフェース用コネクタの前面に開閉蓋１１を設けるなどの対策を採ることが一般的に良くなされている。この開閉蓋１１はコネクタ１３が挿入される開口に臨んで配置され、不図示のバネなどにより閉成状態に付勢されている。そして、コネクタ１３が開口へ差し込まれると、バネに抗して開閉蓋１１が押し開らかれ、コネクタ１２との接続が行われる。
【０００８】
しかしながら、このような電子機器本体又は電子デバイスの内部側に蓋が開く構造であると、その内側に配置されているコネクタ１２は蓋が開閉したときの回動範囲には実装できず、蓋１１と干渉しない位置にコネクタ１２を配置する必要がある。このため、電子デバイスの外形が大きくなり、携帯性を重視する機器では不利になる。また、必然的に接続側コネクタ１３の嵌合長が長くなり、数ギガ〜数１０ギガビット／秒の伝送周波数で高速シリアル伝送を行う機器間の接続においては、信号の伝送ロスが増大するばかりか伝送路インピーダンスが増加したり、周囲の雑音を拾い易くなってジッター増加などの原因となり、高速な信号の伝送に悪影響を与えるといった欠点がある。
【０００９】
更に従来例として特許文献２で開示されている方式を図１４に示す。この方式ではコネクタ１４と接続する相手側のコネクタ１５の先端にテーパ状部分を形成している。一方、キャビネット（電子デバイス）の開口部にはコネクタ１５の挿入方向と直交して開閉するシャッタ１６が配備されており、バネ１７により閉成方向に付勢されている。コネクタ１４と１５を接続させるには、コネクタ１５のテーパ状部分によりキャビネットに配備されたシャッタ１６を挿入方向に対して直角方向に押しのけてスライドさせる構造となっている。この構造では、シャッタ１６の変位がコネクタの差込部の長さに影響を与えないため、データの高速転送には優れている。しかしながら、コネクタ１５のテーパ部により挿入力の直角方向分力を発生させスライドシャッタ１６を開成させるので、摺動摩擦が作用することに加え付勢バネ１７に抗して開放させるべく作用するため、通常のコネクタに比べ強い開成力を必要とする。
【００１０】
また、コネクタ挿入方向と直角方向に開閉するシャッタ１６は、シャッタ移動時の収納スペースと摺動ガイドとなる移動案内部と付勢バネを配置する構造とが開口部付近に必要となる。このため、携帯機器などに図１４に示すような構造を採用すると、挿着方向に対して直角方向に非常に厚いものとなり、携帯性を損ねる。又同一のシャッタ構造を上下に多段に隣接して配置する必要が生じた場合、無駄なスペースが更に増大し、機器全体が大きいものにならざるを得ない。また、合わせ目に導入用のガイド形状を有していても、閉じているシャッタの合わせ目を狙ってテーパ部先端全域を合致させなければならず接続端子の数が多い程位置合わせ精度が求められ、非常に開閉させづらい構造となり実用的ではない。
【００１１】
本発明は上記の課題に鑑みてなされたものであり、本体機器より脱着した際に外部よりコネクタを保護するシャッタを設けながら、電子デバイス側のコネクタを筐体外装側に接近させた位置に配置可能とすることを目的とする。
【００１２】
【課題を解決するための手段】
上記の課題を解決するための本発明による電子部品収納ケースは以下の構成を備える。すなわち、
電子部品を収容可能であり、第１端面に開口部を有するケース部材と、
前記ケース部材の前記開口部に設けられ、該開口部を開閉するべく外側方向へ回動可能であり、第１弾性部材によって閉成方向へ付勢されたシャッタ部材と、
前記ケース部材の前記第１端面に直交する少なくとも一つの側面より該ケース部材の外部に延出した第１端部と、前記シャッタ部材に作用する第２端部とを有し、該第１端部へ加わる作用力を前記シャッタ部材を開成方向への付勢力に変換するレバー部材とを備える。
また、本発明によれば、上記目的を達成するために、上記電子部品収納ケースのケース部材内に、その接続コネクタが前記シャッタ部材と対向するように固定された電子部品を備え、前記シャッタ部材の開成状態において前記接続コネクタが接続可能状態に露出する電子デバイスを提供する。
【００１３】
【発明の実施の形態】
以下、添付の図面を参照しながら本発明の好適な実施形態を詳細に説明する。
【００１４】
図１は電子機器本体１に対し、内部にハードディスクを内蔵した電子デバイス２が着脱自在に装着される電子機器システムの全体を示す構成図である。同図において、電子機器本体１の前面には電子デバイス２が挿着される２つのスロット３が設けられている。電子デバイス２はスロット３の開口部より電子機器本体１に差し込まれ、電子機器本体１の内部に設けられた接続用のコネクタと、電子デバイス側に設けられたコネクタとが電気接続する。
【００１５】
電子デバイス２の差込方向先端にはシャッタ４が設けられ、電子機器本体１より取り外されている時はシャッタ４は閉成状態に保持され、電子デバイス２の内部に位置する接続用コネクタ（後述）が保護される。電子デバイス２の対向する２つの側面には挿着方向に沿って形成された一対の溝２ａが設けられている。電子デバイス２の両側面の溝２ａはスロット３内の内壁に設けられた１対のガイドレール３ａと嵌合し、スロット３内で電子デバイスの位置がガイドされる。これにより、前述のコネクタ同士の嵌合時に正確な相互の位置が保たれて電気的及び機械的接続が行われる。このコネクタ同士の嵌合接続に先立って前述のシャッタ４は後に詳細説明するシャッタ開閉機構により開成される。
【００１６】
溝２ａは電子デバイス２のスロットへの挿入部先端から後部に向けて形成されているが、最後部までは延長されておらず途中で停止している。この構造を採ることにより、電子デバイス２を前後方向を誤ってスロット３へ挿入しようとした場合に、レール３ａ先端と干渉して挿入ができない。
【００１７】
又、電子デバイス２の上面左右の片には挿入方向に沿った切り欠き２ｂが設けられ、スロット３の開口上面角には対応した位置に凸部３ｂが形成されている。これらにより、電子デバイス２の上面と下面を取り違えてスロット３へ挿入しようとしても、そのような装着ができない形状としている。
【００１８】
図２は電子デバイス２の内部構造、特にシャッタ部の構造を示す図であり、電子デバイス２の上面を覆う上ケースを取り外した平面図である。図３は図２にＡで示した部分の拡大図である。更に図４は図３のＢ−Ｂで示した部分の断面図、図５は図３のＣ−Ｃで示した部分の断面図である。
【００１９】
図２において２ｃは記憶媒体であるハードディスク装置（以下ＨＤＤ）である。ＨＤＤは、内部に設けた回転磁気ディスクにデータを保持蓄積し、読み出すことにより情報の更新、取出しができる。ＨＤＤ２ｃは衝撃を和らげる緩衝材などを間に挟み、電子デバイス２の筐体２ｅによって周囲を覆われる。外部とのデータの授受は筐体内外周縁の装着方向先端に近接した位置に設けたインターフェスコネクタ２ｄを介して行われる。そして、このコネクタ２ｄが面する周縁にはシャッタ４が配置されている。シャッタ４は、通常は図５の如く閉成状態にあり、図３，図４に示すねじりコイルバネ６によって閉成方向へ付勢されている。そして、スロットに当該電子デバイスが挿入されていく過程で、シャッタ４は電子機器本体１側のコネクタと接続する前に開成し、コネクタ２ｄが露出状態となる。この機構については後述する。
【００２０】
シャッタ４は図２、図５の閉成状態で筐体２ｅと共に外面を構成する位置で、外面となる前面板４ａと、ＨＤＤ２ｃ側に屈曲してその間に軸５を挟持するための背面腕４ｂがＵの字状に形成されている。軸５は前面板４ａと背面腕４ｂによって形成されるＵの字状の中を貫通し、その両端５ａが筐体の左右溝２ａの近くで保持されて電子デバイス内側を跨ぐように配置される。なお、軸５は円形断面を有する両端５ａによって筐体２ｅへ回転のみ自在に係止保持されている。又、軸５の両端係止部に近い位置に軸芯より突起した２つの板状の作動板５ｂが、図２の状態で概ね水平になるように取り付けられている。図４に示すように、作動板５ｂの下面にはねじりコイルバネ６の一端が係止されており、ねじりコイルバネ６の他端はケースより設けられた棚２ｆで停止している。そしてねじりコイルバネ６の中央コイル部は軸５の円形断面部分に巻かれている。ねじりコイルバネ６の両端は互いに緩む方向に、即ち作動板５ｂに対し軸芯を中心に時計方向に回転する力を与えている。
【００２１】
軸５の長手方向の略中央部には軸芯に沿って軸径とほぼ等しい厚さのリブ状ガイド板５ｃが一体に形成され、図５に示す如くシャッタ４の前面板４ａと背面腕４ｂの間に介在している。ねじりコイルバネ６の緩み力は作動板５ｂに時計方向の回転力を与え、これがリブ状ガイド板５ｃに伝達される。従ってシャッタ４は前述したねじりコイルバネ６の緩み力によりガイド板５ｃから図４、図５における時計方向の力を受けることになり、前面板４ａの先端部がケース２の段部２ｇに当接し停止状態になっている。この状態がシャッタ４の閉成状態である。なお、この閉成状態で、前面板４ａの外面はケース２の外面より若干後退した位置にある。これは、不用意にシャッタ４が開成されないように取り掛かりをなくす効果と、外力を受けにくくする利点を有する。軸５がねじりコイルバネ６の付勢力に抗して反時計回りの方向に回転するとガイド板５ｃによってシャッタ４は軸５と同方向に回転する。
【００２２】
一方、図３，図４において、軸５の左右に設けた作動板５ｂ各々の上面にはレバー７の作用端７ａが当接しており、該レバー７は回転軸７ｂがケース２の軸受部２ｈによって回転可能に軸支されている。また、レバー７の他端である被作動部７ｃはケース２の側面に穿設された扇状穴２ｉより外側へ突出し、連続して形造られている溝２ａの一部をさえぎる状態に位置している。被作動部７ｃは溝２ａ内で溝幅に対し傾斜状にさえぎるように位置し、回転軸７ｂに近い縁が溝２の開口部により近い傾斜形状を為している。レバー７はねじりコイルバネ６から受けた作動板５ｂの時計周りの回転力により作用端７ａが力を受け、回転軸７ｂを中心に反時計回りの回転力を受けている。このため、被動作部７ｃが扇状穴２ｉの一辺に当接した状態で停止している。
【００２３】
以上説明したシャッタ４，軸５，ねじりコイルバネ６，レバー７の構造、相互位置関係を更に分かり易くするために図６の分解斜視図を参照して更に説明する。同図ではシャッタ４と軸５が分離した位置に描かれているが、図５の断面図に示すように組立状態では軸５に対しシャッタ４は前面板４ａと背面板４ｂとで形成されたＵの字状凹部に軸５のガイド板５ｃが位置するよう密着して使用される。軸５のガイド板５ｃは軸中央部の長い領域にわたって設けられているが、背面腕４ｂと対応した位置のみにガイド板５ｃを設けるようにしても良い。また、ガイド板５ｃと両側の作動板５ｂの部分以外は、軸５の断面形状は円形を有する。軸５の両端５ａは前述のようにケースに対し回転可能に係止され、ねじりコイルバネ６によって図の矢印Ｄ方向へ回転力を付加されている。回転軸７ｂがケースに固定された左右１対のレバー７は対称形状をしており、対応する左右の作動板５ｂにより各々図中の矢印Ｆ方向へ回転力を受けている。しかし前述したようにレバー７は外方へ突出した被作動部７Ｃが上ケースの扇状穴２ｉの周縁に当接し、停止している。なお、軸５は細長い部材で常時ねじり力を受けるため金属などの比較的剛性の強い材料で構成するのが望ましい。
【００２４】
図２、図３の８で示す板バネは上側のケース２に固定され、金属などの可撓性のある材料で形成される。該板バネは中央の固定部より２本の弾性腕８ａが延出しその先端はシャッタ４の背部を押圧する位置にある。
【００２５】
次に、以上の構成の電子デバイス２を電子機器本体１へ装着する際の、シャッタ４が閉成状態から開成し、更に双方のインターフェースコネクタが接続され最終収納状態に至るまでの行程を図７〜図１２を参照して説明する。
【００２６】
図７は電子機器本体１のスロットに電子デバイス２が差し込まれた最初の状態を示す。同図において（ａ）は機器本体側１のリセプタクルコネクタ９と電子デバイス２側のプラグコネクタ２ｄ及びシャッタ４、板バネ８などが配置された部分を、（ｂ）はガイドレール３ａとそれに対応する電子デバイス２側の溝２ａ及びレバー７の被作動部７ｃ、軸５の作動部５ｂとが配置された部分を示す。（ａ）、（ｂ）はそれぞれ電子デバイス２の装着進度が同じ状態のものを各部品間の動作関係を示すために対比して示したものである。以下、図１０に示す（ａ）（ｂ）も同様の目的の為示したもので、図７と同一部分の断面図である。
【００２７】
図７（ｂ）で電子デバイス２はスロット３の開口入り口に差し込まれているが、溝２ａは電子機器本体１のスロット３の側面に設けられたレール３ａの先端には至っておらずレバー７は初期状態を維持しているので、シャッタ４はコネクタ２ｄの前面を覆う閉成状態にある。従って前述の電子デバイス２の構造を説明した際に用いた図５と同じ状態である。図７の（ａ）に示す如くスロット３の奥位置には基板１０に実装されたリセプタクルコネクタ９が位置し、電子機器本体１への信号を中継するために供される。内部には複数のバネ状接続片９ａが設けられており、電子デバイス１に設けられたコネクタ２ｄの接点部２ｄａと接触して電気接続を行う。
【００２８】
図８は電子デバイス２がスロット３内へ更に進行した状態を示し、溝２ａ内にレール３ａが嵌入し、レール３ａの先端がレバー７の被作動部７ｃに接触し、これを若干押し上げた位置に移動している。前述した如くレバー７は回転軸７ｂで回転自在に支えられているので該軸芯を中心に時計方向に回転する。レバー７が時計方向に回転すると、レバー先端７ａが軸５の作動板５ｂ上面に当接しているので軸５は軸芯を中心にガイド板５ｃと共に反時計方向に回転する。シャッタ４はガイド板５ｃに案内されて同一角度回転する。図８ではシャッタ４は回転を開始し初期の閉成位置より４５度程度前方に回転しコネクタが徐々に露出状態になるが、既にスロット３内に位置するため、コネクタへは塵埃、静電気などの影響を受けにくい位置にある。また、シャッタ４の上部は板バネ８の弾性腕８ａで外方向へ付勢されているが、シャッタ４の上端の断面形状が円形状に形作られているので容易に回転が行われる。
【００２９】
図９は図８より更に電子デバイス２がスロット３内へ進行した状態を示す。この状態でシャッタ４は軸５の回転に従いガイド板５ｃにより前方へ回転し更に突出状態となるが、スロット３の奥位置に配置されているリセプタクルコネクタ９とは干渉しない位置関係を保っている。
【００３０】
図１０では（ｂ）に示すように、ガイドレール３ａが溝２ａ内に進行し、レバー７の被作動部７ｃを完全に押し切り溝２ａの外側へ追いやる位置まで変位させている。この状態ではレバー７は回転変位が最大となり、レバー先端７ａによる軸５の作動板５ｂの回転によりシャッタ４は初期の閉成位置よりほぼ９０度回転し、水平状態になる。双方のコネクタの位置関係を図１０の（ａ）に示しているが、未だ距離を隔てた位置にあり電気的接続はされていない。しかしながら、既にシャッタ４が完全に開成状態なので、このまま電子デバイス２がレール３ａにガイドされスロット３内を進行してもリセプタクルコネクタ９と干渉する事がない。シャッタ４はここまで軸３を中心に回転動作のみ行い平行移動動作は行わないので、板バネ８の先端８ａはシャッタ４からの変位は殆どを受けておらず水平方向の弾性押圧力をシャッタ４に与える初期の状態を維持している。
【００３１】
図１１では更に電子デバイス２がスロット３内に進行し、コネクタ２ｄと９が機械的に嵌合し始めた状態であり、リセプタクルコネクタ９の取付基板１０が水平方向へ開成したシャッタ４の先端に突き当たった状板を示している。これ以降、シャッタ４は軸５のガイド板５ｃのガイド方向に沿って板バネの弾性腕８ａの腕を弾性変形させながら挿入方向と平行に変位する。
【００３２】
図１２は電子デバイス２がスロット３の所定の位置まで装着された最終装着状態を示す。図１２では電子デバイス２側に設けたコネクタ２ｄの接点部２ｄａと電子機器本体１に設けたリセプタクルコネクタ９の接点部９ａが互いに接触し電気的接続が行われる。このとき、シャッタ４はコネクタ２ｄと筐体２ｅの間の空間に少なくとも一部が収容されることになる。この状態が最も基板１０がコネクタ９に接近した状態で、基板１０に形成された導電回路からの信号はコネクタ９と２ｄを介して記録媒体であるＨＤＤ２ｃへと伝送される。シャッタ４は後退してコネクタ２ｄと電子デバイス２の筐体との間に収納されるので基板１０とコネクタ２ｄとの距離はシャッタ４には影響を受けない。したがって、最も短い経路で電気接続を行う事ができ、高速伝送を行う信号でもインピーダンスの増大や輻射による損失といった悪影響を少なく抑えることが可能である。
【００３３】
装着された電子デバイス２をスロット３より取出す時の各部品の動作は、以上説明した逆の経過をたどり図１２に示した状態より図７のもとの初期状態に変位するので、繰り返しの着脱に対して同様の動作の繰り返しとなる。
【００３４】
以上説明したように、本実施形態による電子デバイスのシャッタ機構を用いれば、電子デバイス４のインターフェース用コネクタを筐体外装面に近接した位置に設ける事が可能で、電子機器本体１側に設けた相手側コネクタとの嵌入部を短小とすることが出来る。その結果、数ギガビット／秒以上の高速信号を伝送する機器のインタフェースコネクタ部に用いた場合にも伝送ロスを小さく抑えることが出来き、本体より着脱して携帯する機器に用いるのに最適である。例えば、電子デバイス側のコネクタから電子機器本体側のコネクタへ信号を伝送するための第１の差動信号と、電子機器本体側のコネクタから電子デバイス側のコネクタへ信号を伝送するための第２の差動信号を伝送するための各々ペアの端子が設けられ、少なくとも１ギガビット／秒以上のシリアル信号の伝送が可能なコネクタを問題なく用いることが可能となる。
【００３５】
また、シャッタ４は電子デバイスから遠ざかる外方に開くように回転するため、閉成時内側へ押されたときのストップ構造を採ることができる。このため、内側に開くシャッタ機構に比べ、外部からの押圧力に強く異物の進入などに対しても強い構造となる。又、シャッタの外面は筐体の外面より後退しているので、本電子デバイス４が電子機器本体１より取り出され単独で取り扱われる時に、意図しない開き方向の力を受け難く、安定した閉成状態を維持する事が出来る。従ってシャッタ４を閉成状態に固定するロック機構も不必要となるので構造的にシンプルなシャッタの開閉機構となる。更にはコネクタの着脱方向と垂直方向に対してはシャッタがコネクタと筐体ケースの間に後退収容されるので薄く構成することができ、携帯を重視する機器に利用する場合であっても有利となる。
【００３６】
なお、以上の説明において、記憶媒体の説明をハードディスクの例を用いて行ったが、本発明ではこれに限定するものではない。記憶媒体として、磁性体を用いたもの、または磁化、非磁化の２状態をレーザー等の光を用いて偏移させ記憶媒体とし用いた光磁気記憶媒体、更には、非導通状態でも状態を保持可能なフラッシュＲＯＭ等の半導体メモリを用いたものなどにも本発明を適用する事が出来る。
【００３７】
【発明の効果】
以上説明したように、本発明によれば、本体機器より脱着した際に外部よりコネクタを保護するシャッタを設けながら、電子デバイス側のコネクタを筐体外装側に接近させた位置に配置することが可能となる。
【図面の簡単な説明】
【図１】本発明による電子デバイス２が着脱自在に装着される電子機器システムの全体を示す構成図である。
【図２】電子デバイス２のシャッタ部構造を示す為に上面を覆う上ケースを取り取り外した平面図である。
【図３】シャッタ開閉機構を示すために図２のＡで示した部分を拡大した図である。
【図４】図３のＢ−Ｂで示した部分の断面図である。
【図５】図３のＣ−Ｃで示した部分の断面図である。
【図６】シャッタ４，軸５，ねじりコイルバネ６，レバー７の構造、相互位置関係を示すための分解斜視図である。
【図７】機器本体１のスロットに電子デバイス２が差し込まれた最初の状態を示す図であり、（ａ）は機器本体側１のリセプタクルコネクタ９と電子デバイス２側のプラグコネクタ２ｄ及びシャッタ４、板バネ８コネクタの位置関係を示す図、（ｂ）はガイドレール３ａと対応する電子デバイス２側の溝２ａ及びレバー７の被作動部７ｃ、軸５の作動部５ｂとが配置された部分の動作関係を示す図である。
【図８】電子デバイス２がスロット３内へ更に進行した状態を示す図である。
【図９】図８よりさらに電子デバイス２がスロット３内へ進行した状態を示す図である。
【図１０】図９よりさらに電子デバイス２がスロット３内へ進行した状態を示す図であり、（ａ）は機器本体側１のリセプタクルコネクタ９と電子デバイス２側のプラグコネクタ２ｄ及びシャッタ４、板バネ８コネクタの位置関係を示す図、（ｂ）はガイドレール３ａと対応する電子デバイス２側の溝２ａ及びレバー７の被作動部７ｃ、軸５の作動部５ｂとが配置された部分の動作関係を示す図である。
【図１１】図１０よりさらに電子デバイス２がスロット３内へ進行した状態を示す図である。
【図１２】電子デバイス２がスロット３へ完全に装着された時の状態を示す図である。
【図１３】従来のシャッタ構造を示す断面図である。
【図１４】従来の他のシャッタ構造を示す断面図である。
【図１】
2004288272.tif 000003
【図２】
2004288272.tif 000004
【図３】
2004288272.tif 000005
【図４】
2004288272.tif 000006
【図５】
2004288272.tif 000007
【図６】
2004288272.tif 000008
【図７】
2004288272.tif 000009
【図８】
2004288272.tif 000010
【図９】
2004288272.tif 000011
【図１０】
2004288272.tif 000012
【図１１】
2004288272.tif 000013
【図１２】
2004288272.tif 000014
【図１３】
2004288272.tif 000015
【図１４】
2004288272.tif 000016